(57)【要約】      （修正有）【課題】設置した複数のパネルの上面間に段差等が形成され難くして安全性を高めることが可能なフリーアクセスフロアを提供する。【解決手段】扁平で平面視方形の箱状を呈し上部周縁にフランジ部を有するパネル３と、パネルの四隅を支持するための支持脚４とを具備し、支持脚は、支持脚がパネルを支持する状態でフランジ部の下面に上面が当接する通常支持部と、支持脚がパネルを支持する状態でパネルの底部のコーナーの下側に入り込み、パネルに当接しない緊急支持部とを有し、通常支持部の上面から緊急支持部の上面までの高低差は、パネルのフランジ部の下面から底部のコーナーの下面までの高低差よりも大きく、かつ、パネルの四隅を支持脚が支持する状態においてパネルの中央部に下向き荷重が掛かったときにフランジ部が座屈するより前に底部のコーナーが緊急支持部の上面に当接する範囲に設定されている。【選択図】図１
2019085714.tif 000002
【特許請求の範囲】
【請求項１】
扁平で平面視方形の箱状を呈し上部周縁にフランジ部を有するパネルと、該パネルの四隅を支持するための支持脚とを具備したフリーアクセスフロアであって、
該支持脚は、該支持脚が前記パネルを支持する状態で前記フランジ部の下面に上面が当接する通常支持部と、該支持脚が前記パネルを支持する状態で前記パネルの底部のコーナーの下側に入り込み、該パネルに当接しない緊急支持部とを有し、
前記通常支持部の上面から前記緊急支持部の上面までの高低差は、前記パネルのフランジ部の下面から前記底部のコーナーの下面までの高低差よりも大きく、かつ、前記パネルの四隅を前記支持脚が支持する状態において該パネルの中央部に下向き荷重が掛かったときに前記フランジ部が座屈するより前に前記底部のコーナーが前記緊急支持部の上面に当接する範囲に設定されていることを特徴とするフリーアクセスフロア。
【請求項２】
前記パネルは、上方に開口した略方形皿状で上部周縁にフランジが形成された裏面板と、該裏面板を上側から覆う表面板と、前記表面板及び前記裏面板によって囲まれる空間に配されたコア材とを備え、
前記表面板の周縁部は、前記裏面板のフランジの上面から側方を経て下面にまで沿うように延び、かつ、該周縁部において前記フランジのコーナー部分の下面に沿う箇所には、該コーナー部分の先端側から基部側に向かって幅が狭まる絞り部分を有する切り欠き部が形成されている請求項１に記載のフリーアクセスフロア。
【請求項３】
前記通常支持部は合成樹脂によって成形されている請求項１または２に記載のフリーアクセスフロア。
【請求項４】
前記パネルの上面に、該パネルの上面に敷設する仕上材の敷設位置の目安となる印を設けてある請求項１〜３の何れか一項に記載のフリーアクセスフロア。
【発明の詳細な説明】
【技術分野】
【０００１】
本発明は、例えば、床の上に別の床を設けて二重床を形成し、上下の床の間にネットワーク配線、換気等に利用可能な空間を確保するためのフリーアクセスフロアに関する。
【背景技術】
【０００２】
従来のフリーアクセスフロアの一例として、図７に示すように、縦横に隣接するパネル５１の四隅を支持脚５２へのボルト締めで支持するようにしたものが知られている（特許文献１）。
【先行技術文献】
【特許文献】
【０００３】
【特許文献１】意匠登録第１３６２５９９号公報
【発明の概要】
【発明が解決しようとする課題】
【０００４】
ところで、上記従来のフリーアクセスフロアにおいて、施工性を上げるためにボルト締めを行わないようにすることが考えられるが、そうすると、例えばパネル５１の中央部に想定を超えた下向き荷重が掛かったときに、パネル５１のフランジのコーナー部が座屈によって反り上がり、段差となって現れ易くなる恐れがあり、この場合、パネル５１上を移動する者がその段差に躓いたり、反り上がったコーナー部の先に接触して怪我をしたりする危険が生じる。
【０００５】
また、フリーアクセスフロアを設置する床面に不陸がある場合に、この不陸がそのままパネル５１の上面に反映され、隣接するパネル５１の上面間に段差が形成されると、やはり躓き等の危険が生じる。
【０００６】
本発明は上述の事柄に留意してなされたもので、その目的は、設置した複数のパネルの上面間に段差等が形成され難くしてその安全性を高めることが可能なフリーアクセスフロアを提供することにある。
【課題を解決するための手段】
【０００７】
上記目的を達成するために、本発明に係るフリーアクセスフロアは、扁平で平面視方形の箱状を呈し上部周縁にフランジ部を有するパネルと、該パネルの四隅を支持するための支持脚とを具備したフリーアクセスフロアであって、該支持脚は、該支持脚が前記パネルを支持する状態で前記フランジ部の下面に上面が当接する通常支持部と、該支持脚が前記パネルを支持する状態で前記パネルの底部のコーナーの下側に入り込み、該パネルに当接しない緊急支持部とを有し、前記通常支持部の上面から前記緊急支持部の上面までの高低差は、前記パネルのフランジ部の下面から前記底部のコーナーの下面までの高低差よりも大きく、かつ、前記パネルの四隅を前記支持脚が支持する状態において該パネルの中央部に下向き荷重が掛かったときに前記フランジ部が座屈するより前に前記底部のコーナーが前記緊急支持部の上面に当接する範囲に設定されている（請求項１）。
【０００８】
上記フリーアクセスフロアにおいて、前記パネルは、上方に開口した略方形皿状で上部周縁にフランジが形成された裏面板と、該裏面板を上側から覆う表面板と、前記表面板及び前記裏面板によって囲まれる空間に配されたコア材とを備え、前記表面板の周縁部は、前記裏面板のフランジの上面から側方を経て下面にまで沿うように延び、かつ、該周縁部において前記フランジのコーナー部分の下面に沿う箇所には、該コーナー部分の先端側から基部側に向かって幅が狭まる絞り部分を有する切り欠き部が形成されていてもよい（請求項２）。
【０００９】
上記フリーアクセスフロアにおいて、前記通常支持部は合成樹脂によって成形されていてもよい（請求項３）。
【００１０】
上記フリーアクセスフロアにおいて、前記パネルの上面に、該パネルの上面に敷設する仕上材の敷設位置の目安となる印を設けてあってもよい（請求項４）。
【発明の効果】
【００１１】
本願発明では、設置した複数のパネルの上面間に段差等が形成され難くしてその安全性を高めることが可能なフリーアクセスフロアが得られる。
【００１２】
すなわち、本願の各請求項に係る発明のフリーアクセスフロアでは、通常支持部の上面から緊急支持部の上面までの高低差を、パネルのフランジ部の下面からその底部のコーナーの下面までの高低差よりも大きくしたことにより、設置対象の床面の不陸をある程度吸収することができる。また、パネルの四隅を支持脚が支持する状態においてパネルの中央部に下向き荷重が掛かったときにフランジ部が座屈するより前に底部のコーナーが緊急支持部の上面に当接するように構成したことにより、フランジ部が座屈するより前に上記の下向き荷重が緊急支持部にも分散されることになり、それだけフランジ部の座屈を未然に防止できる可能性が高まることになる。
【００１３】
請求項２に係る発明のフリーアクセスフロアでは、例えば表面板の周縁部を裏面板のフランジに巻き締めかしめ加工して得られるパネルのコーナー部の直角精度、平坦性及び装着相手の支持脚に対しての安定性の各々の向上を図ることができる。また、裏面板のフランジ全体に対して表面板の周縁部を巻き締めかしめ加工をした状態とすることにより、表面板及び裏面板で囲まれる空間内に湿式で充填されたコア材がフランジと周縁部の隙間から漏れ難くなって品質向上を図れる上、周縁に角のあるフランジの露出を無くしてフランジ部の縁に丸みを帯びさせることができるので、安全性が高まることにもなる。
【００１４】
請求項３に係る発明のフリーアクセスフロアでは、通常支持部を合成樹脂製としたことにより、パネルと支持脚との間に別途の部材を設ける必要がなく、複数のパネルを敷き並べる際に通常支持部によって良好に嵌合固定することもでき、しかもその嵌合精度、支持脚の組立施工性、強度等の向上を図ることも可能である。
【００１５】
請求項４に係る発明のフリーアクセスフロアでは、パネルの上面に設けた印により、仕上材の敷設作業の施工性向上を図ることができる。
【図面の簡単な説明】
【００１６】
【図１】本発明の一実施の形態に係るフリーアクセスフロアの構成を概略的に示す斜視図である。
【図２】（Ａ）〜（Ｃ）は前記フリーアクセスフロアのパネルの構成を概略的に示す平面図、側面図及び底面図、（Ｄ）は（Ｃ）のＤ−Ｄ線切断断面図である。
【図３】（Ａ）〜（Ｃ）は前記パネルにコンセント取付け用開口部を設けた例を概略的に示す平面図、側面図及び底面図である。
【図４】前記パネルの分解斜視図である。
【図５】前記フリーアクセスフロアの支持脚の構成を概略的に示す斜視図である。
【図６】（Ａ）及び（Ｂ）は、前記支持脚の構成を概略的に示す縦断面図及び平面図、（Ｃ）は前記支持脚の脚部の構成を概略的に示す縦断面図である。
【図７】従来のフリーアクセスフロアの斜視図である。
【発明を実施するための形態】
【００１７】
本発明の実施の形態について図面を参照しながら以下に説明する。
【００１８】
図１に示すフリーアクセスフロア１は、扁平で平面視方形の箱状を呈し上部周縁にフランジ部２（図２（Ｂ）、（Ｄ）参照）を有するパネル３（図２（Ａ）〜（Ｄ）も参照）と、パネル３の四隅を支持するための支持脚４（図５、図６も参照）とを具備し、例えばコンクリート床面（基準床面）等の床面に設置され、二重床を形成するためのものである。
【００１９】
パネル３は、図４に示すように、上方に開口した略方形皿状で上部周縁にフランジ５が形成された裏面板６と、裏面板６を上側から覆う隅丸方形板状の表面板７とを備え、ともに金属製である表面板７及び裏面板６によって囲まれる空間には、モルタル等の窯業品で構成されたコア材８が配される（図２（Ｄ）参照）。
【００２０】
裏面板６の底面には、上方（開口）に向かって突出する相互に寸法の異なる複数の半球面状のディンプル９を設け、強度向上を図っている（図２（Ｃ）、（Ｄ）、図４参照）。
【００２１】
本例のパネル３は、裏面板６の開口を表面板７により覆った状態にし、この状態で表面板７の周縁部１０を折り曲げ、図２（Ｄ）の拡大図に示すように、周縁部１０が、裏面板６のフランジ５の上面から側方を経て下面にまで沿うように巻き締めかしめを行い、斯かるプレス加工によって表面板７及び裏面板６を一体化した後、裏面板６の側壁１１に設けられた注入口（図示していない）から表面板７及び裏面板６で囲まれる空間内にコア材（窯業品）８を湿式で充填することにより、製造される。なお、図２（Ｂ）において、１２は注入口を着脱自在に閉塞するキャップ１２である。
【００２２】
ここで、表面板７の周縁部１０において、裏面板６のフランジ５のコーナー部分５ａ（図４参照）の下面に沿う箇所には、図２（Ｃ）の左側の拡大図に示すように、コーナー部分５ａの先端側から基部側に向かって幅Ｗが狭まる（Ｗ１＞Ｗ２）絞り部分を有する切り欠き部１０ａが形成されている。斯かる構成を採用したことにより、周縁部１０をフランジ５に巻き締めかしめ加工して得られるパネル３のコーナー部の直角精度、平坦性及び装着相手の支持脚４に対しての安定性の各々の向上を図ることができる。また、図２（Ｄ）に示すように、フランジ５全体に対して周縁部１０を巻き締めかしめすることにより、表面板７及び裏面板６で囲まれる空間内に湿式で充填されたコア材８がフランジ５と周縁部１０の隙間から漏れ難くなって品質向上を図れる上、周縁に角のあるフランジ５の露出を無くしてフランジ部２の縁に丸みを帯びさせることができるので、安全性が高まることにもなる。切り欠き部分１０ａは、例えばＲ加工によってＲ状にすることが考えられる。
【００２３】
なお、本例のパネル３は、図２（Ａ）〜（Ｄ）に示すパネル３Ａと、図３（Ａ）〜（Ｃ）に示すパネル３Ｂとに区別することができ、パネル３Ｂにはコンセント取付け用開口部Ｃが設けられているが、パネル３Ａには設けられていない、という相違があり、また、この相違に伴って両者３Ａ、３Ｂでディンプル９の設け方等も異なっているが、大まかな構成は同様であることから、図３（Ａ）〜（Ｃ）に示すパネル３Ｂについての詳細な説明は省略する。コンセント取付け用開口部Ｃは、必要に応じ、図１に示すように閉塞される。
【００２４】
支持脚４は、図５、図６（Ａ）に示すように、支持部１３を上側に、脚部１４を下側に備え、脚部１４は伸縮自在に構成されて支持部１３の高さ調整が可能となっている。
【００２５】
このうち、支持部１３は、平面視十字型の通常支持部１５（図６（Ｂ）も参照）と、この通常支持部１５の下側に鍔状に設けられた緊急支持部１６とを有する。そして、支持脚４がパネル３を支持する状態で、通常支持部１５の上面はパネル３のフランジ部２の下面に当接し、緊急支持部１６はパネル３の底部のコーナー１７（図２（Ｂ）〜（Ｄ）参照）の下側に入り込み、パネル３に当接しないように構成されている。なお、コーナー１７はパネル３の底面の他の部分よりも盛り上がっている（図４も参照）。
【００２６】
通常支持部１５の上面には、平面視において中央から十字方向に延びる四つのリブ１８が設けられ、これに対して、パネル３のフランジ部２の四隅の縁は、リブ１８を避けるために若干内寄りに位置し（図２（Ａ）、図２（Ｃ）の右側拡大図参照）、これにより、支持脚４で支持され相互に隣接するパネル３間に大きな隙間が形成されないようにしてある。
【００２７】
また、通常支持部１５の上面から緊急支持部１６の上面までの高低差Ｈ１（図６（Ａ）参照）は、パネル３のフランジ部２の下面から底部のコーナー１７の下面までの高低差Ｈ２（図２（Ｂ）参照）よりも大きく、かつ、パネル３の四隅を支持脚４が支持する状態においてパネル３の中央部に下向き荷重が掛かったときにフランジ部２が座屈するより前にパネル３の弾性変形により底部のコーナー１７が緊急支持部１６の上面に当接する範囲に設定されている。
【００２８】
仮に高低差Ｈ１をＨ２以下とすると、フリーアクセスフロア１を床面に設置したときに床面の不陸を吸収することが困難化し、隣接するパネル３の上面間に段差が生じ易くなる。また、上述のように、高低差Ｈ１を、パネル３の四隅を支持脚４が支持する状態においてパネル３の中央部に下向き荷重が掛かったときにフランジ部２が座屈するより前にパネル３の弾性変形により底部のコーナー１７が緊急支持部１６の上面に当接する範囲に設定しておくことにより、フランジ部２が座屈するより前に上記の下向き荷重が緊急支持部１６にも分散されることになり、それだけフランジ部２の座屈を未然に防止できる可能性が高まることになる。
【００２９】
そのため、本例のフリーアクセスフロア１では、設置した複数のパネル３の上面間に段差等が形成され難くしてその安全性を高めることが可能となる。
【００３０】
具体的には、表面板７の板厚が０．５ｍｍ（以上）、裏面板６の板厚が０．６ｍｍ（以上）、パネル３の平面視寸法が約５００ｍｍ×５００ｍｍ、パネル３の上面から底部の下面までの寸法が２６．６ｍｍのときに、高低差Ｈ１とＨ２との差を０．３５ｍｍ〜０．４５ｍｍ、例えば０．４ｍｍとすれば、床の基準（ＪＩＳ規格他）のひずみ、平坦度の基準値１．０ｍｍには何ら影響が出ない構造となる。
【００３１】
さらに、本例の支持脚４は、支持部１３は合成樹脂製、脚部１４は金属製であり、インサート成形によって両者１３，１４を一体化してある。図６（Ｃ）には、合成樹脂製の支持部１３を除いた金属製の脚部１４のみを示してあり、図６（Ａ）と（Ｃ）とを対比すれば明らかなように、脚部１４の上部を覆うように支持部１３を設けてある。
【００３２】
ここで、敷き並べた複数のパネル３を支持脚４が支持する状態では、各パネル３のフランジ部２が支持脚４の通常支持部１５によって吊り下げ支持されるのみならず、各パネル３の側面が通常支持部１５の側面に当接して嵌合支持されることにもなる。そして、仮に金属製のパネル３を支持する支持部１３（通常支持部１５）も金属製であると、両者の接触により異音発生や金属腐食の問題が発生する恐れがあるため、合成樹脂製等の別途の部材をパネル３と支持部１３との間に設ける必要が生じ、この場合、支持脚４の組立施工性、強度や精度等が低下するが、本例の支持部１３は合成樹脂製であるので、別途の部材を設ける必要がなく、複数のパネル３を敷き並べる際に支持部１３によって良好に嵌合固定することができ、しかもインサート成形によって支持部１３を形成するのでその嵌合精度、支持脚４の組立施工性、強度等の向上を図ることも可能である。
【００３３】
また、本例の支持脚４を用いる場合、施工時にはパネル３のフランジ部２を支持脚４の通常支持部１５に支持させた状態（鍔受けの状態）で作業が可能となり、非常に施工効率が上がる。なお、パネル３のフランジ部２を支持脚４の通常支持部１５に支持させる状態（両者３，４を締結固定しない状態）で施工を完了してもよいが、例えば頻繁に人が通る場所等に設置されるパネル３については、パネル３の四隅に設けた取付穴１９（図２（Ａ）、（Ｃ）参照）と、支持脚４の緊急支持部１６の四隅に設けた取付穴２０（図５参照）とにわたって上下に延びるボルト等の締結具（図示していない）を用いてパネル３を支持脚４に締結固定するようにしてもよい。
【００３４】
ここで、本例では、図１等に示すように、パネル３（３Ａ，３Ｂ）の上面に、パネル３の上面に敷設する仕上材（図示していない）の敷設位置の目安となる印２１を設け、仕上材の敷設作業の施工性を向上させるようにしてある。図１等の例では、印２１として、パネル３の上面の中央部から前後左右に延びる４本の直線リブ２１ａと、パネル３の上面を前後左右に４等分したときの各領域の中心に位置する計４つの十字型リブ２１ｂとを設けてある。４本の直線リブ２１ａは、パネル３の上面を前後左右に４等分したときの各領域の境界に位置し、各十字型リブ２１ｂを構成する相互に交差する２本のリブはそれぞれパネル３の前後、左右方向に延びている。
【００３５】
なお、本発明は、上記の実施の形態に何ら限定されず、本発明の要旨を逸脱しない範囲において種々に変形して実施し得ることは勿論である。例えば、以下のような変形例を挙げることができる。
【００３６】
上記実施の形態では、図１等に示すように、パネル３の上面に、パネル３の上面に敷設する仕上材（図示していない）の敷設位置の目安となる印２１を設けてあるが、印２１の構成は種々に変更可能であり、印２１を設けないようにしてもよい。
【００３７】
上記実施の形態では、パネル３の底部（裏面板６の底面）の各コーナー１７を盛り上げているが、このように盛り上げていなくてもよい。
【００３８】
また、上記実施形態では、支持部１３全体を合成樹脂製としているが、これに限らず、例えば通常支持部１５を合成樹脂製としつつ、緊急支持部１６を金属製としてもよい。さらに、上記実施形態では、芯材に金属部品がインサートされた合成樹脂によって支持部１３（通常支持部１５、緊急支持部１６）を成形してあるが、支持部１３を得る方法はこれに限らない。
【００３９】
なお、上記変形例どうしを適宜組み合わせてもよいことはいうまでもない。
【符号の説明】
【００４０】
１    フリーアクセスフロア
２    フランジ部
３    パネル
４    支持脚
５    フランジ
５ａ  コーナー部分
６    裏面板
７    表面板
８    コア材
９    ディンプル
１０    周縁部
１０ａ  切り欠き部分
１１    側壁
１２    キャップ
１３    支持部
１４    脚部
１５    通常支持部
１６    緊急支持部
１７    コーナー
１８    リブ
１９    取付穴
２０    取付穴
２１    印
２１ａ  直線リブ
２１ｂ  十字型リブ
５１    パネル
５２    支持脚
Ｈ１  高低差
Ｈ２  高低差
Ｗ    幅
Ｗ１  幅
Ｗ２  幅
【図１】
2019085714.tif 000003
【図２】
2019085714.tif 000004
【図３】
2019085714.tif 000005
【図４】
2019085714.tif 000006
【図５】
2019085714.tif 000007
【図６】
2019085714.tif 000008
【図７】
2019085714.tif 000009